(57)【要約】【課題】複数の液滴を順番に連続紙に吐出する構成において、幅方向の張力を連続紙に付与していない場合と比して、液滴の付着位置がずれてしまうのを抑制する画像形成装置を得る。【解決手段】接触位置に移動した傾斜ロール６２は、支持ロール７２との間で連続紙Ｐを挟み込み、搬送される連続紙Ｐに従動して回転する。そして、連続紙Ｐには、連続紙Ｐが記録媒体の搬送方向の外側に向かう力が付与される。これにより、連続紙Ｐには、記録媒体の幅方向（連続紙Ｐの幅方向）の張力が付与される。【選択図】図５
2018001565.tif 000002
【特許請求の範囲】
【請求項１】
搬送される連続紙に対向し、連続紙の搬送方向に並べられ、連続紙に液滴を吐出する複数の液滴吐出部材と、
連続紙の幅方向における連続紙の移動を制限する制限部材であって、複数の前記液滴吐出部材と対向する領域の連続紙の前記幅方向の一端部の移動を制限する制限部材と、
前記制限部材によって連続紙の前記幅方向の一端部の移動が制限されている状態で、前記液滴吐出部材と対向する領域の連続紙に、前記幅方向の張力を付与する付与部材と、
を備えた画像形成装置。
【請求項２】
前記付与部材は、連続紙の前記幅方向の他端部に接触すると共に前記搬送方向に対して一方向に傾斜し、搬送される連続紙に従動して回転することで、連続紙に張力を付与する傾斜部材である請求項１に記載の画像形成装置。
【請求項３】
連続紙の一端面と接触し、連続紙の前記幅方向の位置を規制する規制部材と、
前記制限部材を切り換えて、連続紙の前記幅方向の移動を制限する制限状態、又は連続紙の前記幅方向の移動を許可する許容状態とする第一切換部材と、
前記傾斜部材を切り換えて、連続紙に張力を付与させる一方向と、連続紙の一端面を前記規制部材に接触させる他方向とに傾斜させる第二切換部材と、
前記制限部材が前記許容状態で、前記第二切換部材を制御し、前記傾斜部材を他方向に傾斜させて連続紙の一端面を前記規制部材に接触させ、前記第一切換部材を制御し、前記制限部材を許容状態から制限状態とし、前記第二切換部材を制御し、前記傾斜部材を一方向に傾斜させて連続紙に張力を付与させる制御部と、
を備える請求項２に記載の画像形成装置。
【請求項４】
前記付与部材は、連続紙を挟んで前記液滴吐出部材の反対側に配置され、前記幅方向の他端部が一端部に比して大径であり、移動する連続紙に従動して回転する回転部材である請求項１に記載の画像形成装置。
【発明の詳細な説明】
【技術分野】
【０００１】
本発明は、画像形成装置に関する。
【背景技術】
【０００２】
特許文献１に記載の記録媒体搬送装置は、連続紙を搬送する搬送手段の搬送速度を、ヘッドに対して、連続紙の搬送方向の上流側と下流側とで変えている。
【先行技術文献】
【特許文献】
【０００３】
【特許文献１】特開２００８−６２４３２号公報
【発明の概要】
【発明が解決しようとする課題】
【０００４】
搬送される連続紙に、複数の液滴（インク）を順番に吐出して画像を形成する画像形成装置がある。この画像形成装置では、連続紙に搬送方向の張力を付与することで、連続紙が搬送される。また、液滴が連続紙に付着することで、付着した部分が伸びてしまう。しかし、搬送される連続紙には、搬送方向に張力が付与される。このため、液滴が付着した部分の伸び量は、搬送方向と比して、連続紙の幅方向が大きくなる。
【０００５】
液滴が付着した部分が、連続紙の幅方向に伸びることで、伸びた後に吐出される液滴の付着位置がずれてしまうことがある。近年特に、画像の解像度が高くなっている。このため、液滴の付着位置のずれが、画像の品質を低下させる一つの要因となってきた。
【０００６】
本発明の課題は、複数の液滴を順番に連続紙に吐出する構成において、幅方向の張力を連続紙に付与していない場合と比して、液滴の付着位置がずれてしまうのを抑制することである。
【課題を解決するための手段】
【０００７】
本発明の請求項１に係る画像形成装置は、搬送される連続紙に対向し、連続紙の搬送方向に並べられ、連続紙に液滴を吐出する複数の液滴吐出部材と、連続紙の幅方向における連続紙の移動を制限する制限部材であって、複数の前記液滴吐出部材と対向する領域の連続紙の前記幅方向の一端部の移動を制限する制限部材と、前記制限部材によって連続紙の前記幅方向の一端部の移動が制限されている状態で、前記液滴吐出部材と対向する領域の連続紙に、前記幅方向の張力を付与する付与部材と、を備えることを特徴とする。
【０００８】
本発明の請求項２に係る画像形成装置は、請求項１に記載の画像形成装置において、前記付与部材は、連続紙の前記幅方向の他端部に接触すると共に前記搬送方向に対して一方向に傾斜し、搬送される連続紙に従動して回転することで、連続紙に張力を付与する傾斜部材であることを特徴とする。
【０００９】
本発明の請求項３に係る画像形成装置は、請求項２に記載の画像形成装置において、連続紙の一端面と接触し、連続紙の前記幅方向の位置を規制する規制部材と、前記制限部材を切り換えて、連続紙の前記幅方向の移動を制限する制限状態、又は連続紙の前記幅方向の移動を許可する許容状態とする第一切換部材と、前記傾斜部材を切り換えて、連続紙に張力を付与させる一方向と、連続紙の一端面を前記規制部材に接触させる他方向とに傾斜させる第二切換部材と、前記制限部材が前記許容状態で、前記第二切換部材を制御し、前記傾斜部材を他方向に傾斜させて連続紙の一端面を前記規制部材に接触させ、前記第一切換部材を制御し、前記制限部材を許容状態から制限状態とし、前記第二切換部材を制御し、前記傾斜部材を一方向に傾斜させて連続紙に張力を付与させる制御部と、を備えることを特徴とする。
【００１０】
本発明の請求項４に係る画像形成装置は、請求項１に記載の画像形成装置において、前記付与部材は、連続紙を挟んで前記液滴吐出部材の反対側に配置され、前記幅方向の他端部が一端部に比して大径であり、移動する連続紙に従動して回転する回転部材であることを特徴とする。
【発明の効果】
【００１１】
本発明の請求項１の画像形成装置によれば、複数の液滴を順番に連続紙に吐出する構成において、幅方向の張力を連続紙に付与していない場合と比して、液滴の付着位置がずれてしまうのを抑制することができる。
【００１２】
本発明の請求項２の画像形成装置によれば、駆動力を用いて連続紙に幅方向の張力を付与する場合と比して、電力の消費を抑制することができる。
【００１３】
本発明の請求項３の画像形成装置によれば、連続紙に張力を付与させる部材と、連続紙の一端面を規制部材に接触させる部材とが夫々設けられている場合と比して、部品点数を減らすことができる。
【００１４】
本発明の請求項４の画像形成装置によれば、駆動力を用いて連続紙に張力を付与する場合と比して、電力の消費を抑制することができる。
【図面の簡単な説明】
【００１５】
【図１】本発明の第１実施形態に係る画像形成装置の規制装置を示した斜視図である。
【図２】本発明の第１実施形態に係る画像形成装置の規制装置を示した斜視図である。
【図３】本発明の第１実施形態に係る画像形成装置の規制装置を示した斜視図である。
【図４】本発明の第１実施形態に係る画像形成装置の規制装置を示した斜視図である。
【図５】本発明の第１実施形態に係る画像形成装置の規制装置を示した斜視図である。
【図６】本発明の第１実施形態に係る画像形成装置の規制装置を示した平面図である。
【図７】本発明の第１実施形態に係る画像形成装置の規制装置を示した平面図である。
【図８】本発明の第１実施形態に係る画像形成装置の規制装置を示した平面図である。
【図９】本発明の第１実施形態に係る画像形成装置を示した構成図である。
【図１０】本発明の第１実施形態に係る画像形成装置の規制装置の制御フローを示したフロー図である。
【図１１】本発明の第１実施形態に係る画像形成装置の規制装置の制御ブロックを示したブロック図である。
【図１２】本発明の第１実施形態の比較形態に係る画像形成装置の規制装置を示した斜視図である。
【図１３】本発明の第２実施形態に係る画像形成装置の規制装置を示した斜視図である。
【図１４】本発明の第２実施形態に係る画像形成装置の規制装置を示した平面図である。
【図１５】本発明の第２実施形態に係る画像形成装置の規制装置の制御ブロックを示したブロック図である。
【図１６】本発明の第３実施形態に係る画像形成装置の規制装置を示した斜視図である。
【図１７】本発明の第３実施形態に係る画像形成装置の規制装置を示した平面図である。
【図１８】本発明の第３実施形態に係る画像形成装置の規制装置を示した平面図である。
【図１９】本発明の第３実施形態に係る画像形成装置の規制装置の制御フローを示したフロー図である。
【図２０】本発明の第３実施形態に係る画像形成装置の規制装置の制御ブロックを示したブロック図である。
【図２１】本発明の第４実施形態に係る画像形成装置の規制装置を示した斜視図である。
【図２２】本発明の第４実施形態に係る画像形成装置の規制装置を示した平面図である。
【図２３】本発明の第４実施形態に係る画像形成装置の規制装置の制御ブロックを示したブロック図である。
【図２４】本発明の第５実施形態に係る画像形成装置の規制装置を示した斜視図である。
【図２５】本発明の第５実施形態に係る画像形成装置の規制装置を示した平面図である。
【図２６】本発明の第５実施形態に係る画像形成装置の規制装置の制御フローを示したフロー図である。
【図２７】本発明の第５実施形態に係る画像形成装置の規制装置の制御ブロックを示したブロック図である。
【図２８】本発明の第６実施形態に係る画像形成装置の規制装置を示した斜視図である。
【図２９】本発明の第６実施形態に係る画像形成装置の規制装置を示した平面図である。
【図３０】本発明の第７実施形態に係る画像形成装置の規制装置を示した斜視図である。
【図３１】本発明の第７実施形態に係る画像形成装置の規制装置を示した平面図である。
【図３２】本発明の第８実施形態に係る画像形成装置の規制装置を示した斜視図である。
【図３３】本発明の第８実施形態に係る画像形成装置の規制装置を示した平面図である。
【発明を実施するための形態】
【００１６】
＜第１実施形態＞
本発明の実施形態に係る画像形成装置の一例を図１〜図１２に従って説明する。なお、図中に示す矢印Ｈは装置上下方向（鉛直方向）を示し、矢印Ｗは記録媒体の搬送方向（水平方向）を示し、矢印Ｄは記録媒体の幅方向（水平方向）を示す。
【００１７】
（全体構成）
図９に示されるように、画像形成装置１０は、記録媒体としての連続紙Ｐに画像を形成する画像形成ユニット１２と、画像形成ユニット１２に供給する連続紙Ｐが収容される前処理ユニット１４と、画像形成ユニット１２と前処理ユニット１４との間に配置され、前処理ユニット１４から画像形成ユニット１２へ供給される連続紙Ｐの搬送量等を調整するバッファユニット１６と、を備えている。
【００１８】
さらに、画像形成装置１０は、画像形成ユニット１２から排出される連続紙Ｐを収容する後処理ユニット１８と、画像形成ユニット１２と後処理ユニット１８との間に配置され、画像形成ユニット１２から後処理ユニット１８へ排出される連続紙Ｐの搬送量等を調整するバッファユニット２０と、を備えている。
【００１９】
画像形成ユニット１２の内部には、搬送経路２４に沿って搬送される連続紙Ｐに、液滴を吐出して画像を形成する液滴吐出装置２１が備えられている。
【００２０】
液滴吐出装置２１は、連続紙Ｐに液滴を吐出してＫ（ブラック）色の画像を形成する液滴吐出部材の一例としての液滴吐出ヘッド２２Ｋと、Ｃ（シアン）色の画像を形成する液滴吐出部材の一例としての液滴吐出ヘッド２２Ｃとを備えている。さらに、液滴吐出装置２１は、Ｍ（マゼンタ）色の画像を形成する液滴吐出部材の一例としての液滴吐出ヘッド２２Ｍと、Ｙ（イエロー）色の画像を形成する液滴吐出部材の一例としての液滴吐出ヘッド２２Ｙとを備えている。
【００２１】
そして、液滴吐出ヘッド２２Ｋと、液滴吐出ヘッド２２Ｃと、液滴吐出ヘッド２２Ｍと、液滴吐出ヘッド２２Ｙとは、この順番で連続紙Ｐの搬送方向（以下単に「用紙搬送方向」と記載する）に沿って上流側から下流側に連続紙Ｐと対向するように並べられている。なお、以後の説明では、Ｋ、Ｙ、Ｍ、Ｃを区別しない場合には、符号に付しているＫ、Ｙ、Ｍ、Ｃを省略する。
【００２２】
また、画像形成ユニット１２の内部には、液滴吐出装置２１に対向している連続紙Ｐの部分の搬送を規制する規制装置４０と、連帳紙Ｐに形成された画像を乾燥させるハロゲンヒータ２９と、各部を制御する制御部３８とが備えられている。制御部３８による制御系統については、図１１のブロック図に示す。また、規制装置４０については、詳細を後述する。
【００２３】
さらに、前処理ユニット１４は、画像形成ユニット１２へ供給される連続紙Ｐが巻き付けられている供給ロール２７を備えており、この供給ロール２７は、図示せぬフレーム部材に回転可能に支持されている。
【００２４】
一方、後処理ユニット１８は、画像が形成された連続紙Ｐを巻き取る巻取ロール２８を備えている。そして、この巻取ロール２８が図示せぬモータから回転力を受けて回転することで、連続紙Ｐに搬送方向の張力が付与され、連続紙Ｐが搬送経路２４に沿って搬送されるようになっている。
【００２５】
この構成において、巻取ロール２８を回転させることで、用紙搬送方向の張力が連続紙Ｐに付与され、連続紙Ｐが搬送経路２４に沿って搬送される。そして、各色の液滴吐出ヘッド２２が、搬送される連続紙Ｐに各色の液滴を順番に吐出することで連続紙Ｐに画像が形成されるようになっている。
【００２６】
（要部構成）
次に、規制装置４０について説明する。
【００２７】
規制装置４０は、図９に示されるように、液滴吐出ヘッド２２と対向する領域の連続紙Ｐを規制するように配置されている。
【００２８】
規制装置４０は、図５、図９に示されるように、連続紙Ｐに対して液滴吐出ヘッド２２側（以下「画像面側」）に配置されている制限機構５０と、付与機構６０とを備えている。さらに、規制装置４０は、連続紙Ｐに対して液滴吐出ヘッド２２とは反対側（以下「非画像面側」）に配置されている支持機構７０と、連続紙Ｐに対して記録媒体の幅方向の外側に配置されているガイド機構８０とを備えている。
【００２９】
〔支持機構〕
支持機構７０は、複数設けられ、図９に示されるように、各色の液滴吐出ヘッド２２と対向する部分の連続紙Ｐを、用紙搬送方向の上流側及び下流側から夫々支持するように配置されている。
【００３０】
夫々の支持機構７０は、図５に示されるように、連続紙Ｐの記録媒体の幅方向の一端から他端までを支持する支持ロール７２を備えている。そして、この支持ロール７２は、フレーム部材（図示省略）に回転可能に支持されている。
【００３１】
この構成において、支持ロール７２は、連続紙Ｐの非画像面と接触し、連続紙Ｐを下方側から支持すると共に、搬送される連続紙Ｐに従動して回転するようになっている。
【００３２】
〔ガイド機構〕
ガイド機構８０は、複数設けられ、図８に示されるように、連続紙Ｐに対して記録媒体の幅方向奥側（図中上側）で、用紙搬送方向において支持機構７０を夫々挟むように配置されている。そして、ガイド機構８０は、連続紙Ｐの記録媒体の幅方向の位置を規制するために用いられる。
【００３３】
夫々のガイド機構８０は、図５に示されるように、規制部材の一例としての板状のガイド板８２と、光学センサで８４（以下「センサ８４」）とを備えている。そして、ガイド板８２の板面は、記録媒体の幅方向を向いている。
【００３４】
この構成において、ガイド板８２は、搬送される連続紙Ｐの幅方向の一端面と接触し、連続紙Ｐの記録媒体の幅方向の位置を規制するようになっている。また、センサ８４は、連続紙Ｐの一端面がガイド板８２に接触したか否かを検出するようになっている。そして、制御部３８は、センサ８４の検出結果を受け取るようになっている（図１１参照）。
【００３５】
なお、後述する制限機構５０及び付与機構６０から連続紙Ｐに力が付与されていない状態で、連続紙Ｐを搬送すると、搬送される連続紙Ｐの一端面とガイド板８２との間には隙間が生じるように、ガイド板８２の記録媒体の幅方向の位置が決められている。
【００３６】
〔制限機構〕
制限機構５０は、複数設けられ、図５、図８に示されるように、連続紙Ｐの記録媒体の幅方向奥側の部分で、連続紙Ｐを挟んで支持機構７０の反対側に配置されている。そして、制限機構５０は、連続紙Ｐの記録媒体の幅方向の移動を制限する。
【００３７】
夫々の制限機構５０は、図５に示されるように、制限部材の一例としての制限ロール５２と、第一切換部材の一例としての切換部材５４とを備えている。
【００３８】
制限ロール５２は、上方から見て、回転方向（軸方向に対して直交する方向）が連続紙Ｐの搬送方向に沿うように配置されている。
【００３９】
切換部材５４は、制限ロール５２を回転可能に支持する支持部５４Ａと、支持部５４Ａから上方に延びる円柱状のロッド５４Ｂとを備えている。さらに、切換部材５４は、ロッド５４Ｂを介して支持部５４Ａを上下移動させる本体部５４Ｃを備えている。
【００４０】
この構成において、制御部３８（図１１参照）が切換部材５４を制御することで、制限ロール５２を、上下方向に移動させて制限位置（制限状態）と許容位置（許容状態）とに移動させるようになっている。制限位置に移動した制限ロール５２は、図５に示されるように、連続紙Ｐの記録媒体の幅方向奥側の端部（幅方向の一端部）を、支持ロール７２とで挟み込み、搬送される連続紙Ｐに従動して回転するようになっている。これにより、制限ロール５２は、連続紙Ｐの記録媒体の幅方向奥側の端部における記録媒体の幅方向の移動を制限するようになっている。また、許容位置に移動した制限ロール５２は、図１に示されるように、連続紙Ｐから離間して連続紙Ｐの記録媒体の幅方向の移動を許容するようになっている。
【００４１】
〔付与機構〕
付与機構６０は、複数設けられ、図５、図８に示されるように、連続紙Ｐの記録媒体の幅方向の手前側の部分で、連続紙Ｐを挟んで支持機構７０の反対側に配置されている。そして、付与機構６０は、連続紙Ｐに記録媒体の幅方向の張力を付与するために用いられる。
【００４２】
夫々の付与機構６０は、図５に示されるように、付与部材の一例としての傾斜ロール６２と、第二切換部材の一例としての切換部材６４とを備えている。
【００４３】
切換部材６４は、傾斜ロール６２を回転可能に支持する支持部６４Ａと、支持部６４Ａから上方に延びる円柱状のロッド６４Ｂとを備えている。さらに、切換部材６４は、ロッド６４Ｂを介して支持部６４Ａを上下移動、及びロッド６４Ｂを軸として支持部６４Ａを回転させる本体部６４Ｃを備えている。
【００４４】
この構成において、制御部３８（図１１参照）が切換部材６４を制御することで、傾斜ロール６２が、上下方向に移動するようになっている。そして、傾斜ロール６２は、連続紙Ｐと接触する接触位置（図５参照）と、連続紙Ｐから離間する離間位置（図４参照）とに移動するようになっている。
【００４５】
さらに、制御部３８が切換部材６４を制御することで、ロッド６４Ｂを軸として支持部６４Ａが回転するようになっている。そして、傾斜ロール６２が、上方から見て、用紙搬送方向に対して一方向と他方向とに傾斜するようになっている。具体的には、一方向に傾斜した傾斜ロール６２は、図５、図８に示されるように、上方から見て、用紙搬送方向の下流側の部分が上流側の部分に対して記録媒体の搬送方向外側（制限機構５０とは反対側）に位置するようになっている。また、他方向に傾斜した傾斜ロール６２は、図２、図７に示されるように、上方から見て、用紙搬送方向の上流側の部分が下流側の部分に対して記録媒体の搬送方向外側に位置するようになっている。
【００４６】
そして、一方向に傾斜した傾斜ロール６２が、接触位置に移動することで、連続紙Ｐの記録媒体の幅方向の手前側の端部（幅方向の他端部）を支持ロール７２とで挟み込み、搬送される連続紙Ｐに従動して回転するようになっている。これにより、連続紙Ｐには、連続紙Ｐが記録媒体の搬送方向の外側に向かう力が付与されるようになっている。
【００４７】
また、他方向に傾斜した傾斜ロール６２が、接触位置に移動することで、連続紙Ｐの記録媒体の幅方向の手前側の端部（幅方向の他端部）を支持ロール７２とで挟み込み、搬送される連続紙Ｐに従動して回転するようになっている。そして、連続紙Ｐには、連続紙Ｐが記録媒体の搬送方向の内側（ガイド板８２側）に向かう力が付与されるようになっている。
【００４８】
（要部構成の作用）
次に、規制装置４０の作用について、図１０に示すフロー図等を用いて説明する。
【００４９】
先ず、画像形成装置１０の非稼働状態では、図１に示されるように、制限ロール５２は、許容位置に配置され、傾斜ロール６２は、離間位置に配置されている。さらに、傾斜ロール６２は、他方向に傾斜している。また、図６に示されるように、連続紙Ｐの一端面と、ガイド板８２との間には隙間が生じている。
【００５０】
この状態で、画像形成装置１０を稼動させると、図１０に示すステップＳ１００で、連続紙Ｐの搬送が開始される。連続紙Ｐの搬送が開始されるとステップＳ２００に移行する。
【００５１】
ステップＳ２００では、制御部３８は、切換部材６４を制御し、図２、図７に示されるように、離間位置に配置されている傾斜ロール６２を接触位置に移動させる。
【００５２】
接触位置に移動した傾斜ロール６２は、支持ロール７２との間で連続紙Ｐを挟み込み、搬送される連続紙Ｐに従動して回転する。そして、連続紙Ｐには、連続紙Ｐが記録媒体の搬送方向の内側に向かう力が付与される。
【００５３】
これにより、連続紙Ｐが記録媒体の搬送方向の内側に移動し、連続紙Ｐの一端面がガイド板８２に接触する。連続紙Ｐの一端面がガイド板８２に接触することで、ガイド板８２は、連続紙Ｐの記録媒体の幅方向の位置を規制する。そして、全てのセンサ８４が、連続紙Ｐの一端面がガイド板８２に接触したことを検知すると、ステップＳ３００に移行する。
【００５４】
ステップＳ３００では、制御部３８は、切換部材５４を制御し、許容位置に配置されている制限ロール５２を制限位置に移動させる（図３参照）。制限位置に移動した制限ロール５２は、支持ロール７２との間で連続紙Ｐを挟み込み、搬送される連続紙Ｐに従動して回転する。これにより、制限ロール５２は、連続紙Ｐの記録媒体の幅方向奥側の端部における記録媒体の幅方向の移動を制限する。制限ロール５２が制限位置に移動するとステップＳ４００に移行する。
【００５５】
ステップＳ４００では、制御部３８は、切換部材６４を制御し、図３に示されるように、接触位置に配置されている傾斜ロール６２を離間位置に移動させる。傾斜ロール６２が離間位置に移動するとステップＳ５００に移行する。
【００５６】
ステップＳ５００では、制御部３８は、切換部材６４を制御し、図４に示されるように、他方向に傾斜していた傾斜ロール６２を一方向に傾斜させる。傾斜ロール６２が一方向に傾斜すると、ステップＳ６００に移行する。
【００５７】
ステップＳ６００では、制御部３８は、切換部材６４を制御し、図５、図８に示されるように、離間位置に配置されている傾斜ロール６２を接触位置に移動させる。
【００５８】
接触位置に移動した傾斜ロール６２は、支持ロール７２との間で連続紙Ｐを挟み込み、搬送される連続紙Ｐに従動して回転する。そして、連続紙Ｐには、連続紙Ｐが記録媒体の搬送方向の外側に向かう力が付与される。これにより、連続紙Ｐには、記録媒体の幅方向（連続紙Ｐの幅方向）の張力が付与される。
【００５９】
なお、巻取ロール２８（図９参照）を回転させることで連続紙Ｐが搬送されているため、連続紙Ｐには、記録媒体の搬送方向の張力が付与されている。
【００６０】
そして、各色の液滴吐出ヘッド２２は、夫々の色の液滴（インク）を順番に連続紙Ｐに吐出して画像を形成する。画像形成動作（ジョブ）が終了すると、ステップＳ７００に移行する。
【００６１】
ステップＳ７００では、制御部３８は、切換部材６４を制御し、接触位置に配置されている傾斜ロール６２を離間位置に移動させる。さらに、制御部３８は、切換部材５４を制御し、制限位置に配置されている制限ロール５２を許容位置に移動させる。制限ロール５２が許容位置に移動すると、ステップＳ８００に移行する。
【００６２】
ステップＳ８００では、制御部３８は、切換部材６４を制御し、図１に示されるように、一方向に傾斜している傾斜ロール６２を他方向に傾斜させる。傾斜ロール６２が他方向に傾斜すると、連続紙Ｐの搬送が停止して、一連の工程が終了する。
【００６３】
（まとめ）
次に、比較形態に係る規制装置９０について説明し、さらに、規制装置９０と比較しつつ、規制装置４０の作用について説明する。なお、規制装置９０については、規制装置４０と異なる部分を主に説明する。
【００６４】
規制装置９０は、図１２に示されるように、制限機構５０、付与機構６０及びガイド機構８０を備えていない。このため、記録媒体の幅方向に張力が付与されていない連続紙Ｐに、各色の液滴吐出ヘッド２２が、夫々の色の液滴を順番に吐出する。なお、記録媒体の搬送方向に張力については、前述したように、連続紙Ｐに付与されている。
【００６５】
ここで、液滴が連続紙Ｐに付着することで、付着した部分が、記録媒体の幅方向に伸びてしまう。このため、異なる色の液滴を順番に連続紙Ｐに向けて吐出させる構成では、液滴の付着位置がずれてしまう。
【００６６】
これに対して、規制装置４０では、記録媒体の幅方向の張力が連続紙Ｐに付与されているため、連続紙Ｐは、記録媒体の幅方向に伸びている。これにより、規制装置４０では、規制装置９０の場合と比して、液滴が付着した部分における装置奥行方のそれ以上の伸びが抑制される。
【００６７】
以上により、規制装置４０では、規制装置９０と比して、液滴の付着位置がずれてしまうのが抑制される。
【００６８】
また、液滴の付着位置のずれが抑制されることで、規制装置９０と比して、画像品質の低下が抑制される。
【００６９】
また、一方向に傾斜した傾斜ロール６２が、搬送される連続紙Ｐに従動して回転することで、連続紙Ｐに張力を付与する。このように、駆動力を用いることなく、連続紙Ｐに幅方向の張力が付与される。
【００７０】
また、傾斜ロール６２を他方向に傾斜させることで、連続紙Ｐの一端面をガイド板８２に接触させる。このため、専用部材を用いて連続紙Ｐの一端面をガイド板８２に接触させる構成と比して、部品点数が少なくなる。
【００７１】
＜第２実施形態＞
次に、第２実施形態に係る画像形成装置１００の一例を図１３〜図１５に従って説明する。なお、画像形成装置１００については、第１実施形態と異なる部分を主に説明する。
【００７２】
画像形成装置１００は、各部を制御する制御部１２８（図１５参照）と、規制装置１１０とを備えている。規制装置１１０は、図１３、図１４に示されるように、制限機構５０を備えていない。規制装置１１０は、第一切換部材の一例としての吸引ポンプ１２４と、連続紙Ｐの非画像面側に配置されている複数の支持機構１２０とを備えている。
【００７３】
夫々の支持機構１２０は、連続紙Ｐの記録媒体の幅方向の一端部から他端部までを支持する支持ロール１２２を備えている。そして、支持ロール１２２は、内部が空洞とされ、フレーム部材（図示省略）に回転可能に支持されている。
【００７４】
さらに、支持ロール１２２において記録媒体の幅方向の奥側の部分には、支持ロール１２２の周方向に複数の吸引口１２６Ａを有する制限部材の一例としての吸着領域１２６が形成されている。そして、吸引ポンプ１２４を稼動させると、吸引口１２６Ａから空気が吸い込まれ、連続紙Ｐの記録媒体の幅方向の奥側の部分が、吸着領域１２６に吸着されるようになっている。
【００７５】
この構成において、画像形成装置１００の制御部１２８は、吸引ポンプ１２４を稼動させて連続紙Ｐの記録媒体の幅方向奥側の端部において記録媒体の幅方向の移動を制限するようになっている（制限状態）。また、制御部１２８は、吸引ポンプ１２４を非稼動させて連続紙Ｐの記録媒体の幅方向の移動を許可するようになっている（許容状態）。
【００７６】
なお、第２実施形態の作用については、吸着領域１２６で連続紙Ｐの移動を制限する以外は、第１実施形態と同様である。
【００７７】
＜第３実施形態＞
次に、第３実施形態に係る画像形成装置１５０の一例を図１６〜図２０に従って説明する。なお、画像形成装置１５０については、第１実施形態と異なる部分を主に説明する。
【００７８】
（構成）
画像形成装置１５０は、各部を制御する制御部１７８（図２０参照）と、規制装置１６０とを備えている。規制装置１６０は、図１６に示されるように、連続紙Ｐを挟んで制限ロール５２の反対側に配置されている挟持ロール１６２を備えている。さらに、規制装置１６０は、連続紙Ｐの非画像面側に配置されている付与部材の一例としての傾斜ロール１６６と、第二切換部材の一例としての切換部材１６８とを備えている。
【００７９】
挟持ロール１６２は、上方から見て、回転方向（軸方向に対して直交する方向）が連続紙Ｐの搬送方向に沿うようになっている。そして、挟持ロール１６２は、ブラケット１６４に回転可能に支持されている。
【００８０】
傾斜ロール１６６は、複数設けられ、夫々の挟持ロール１６２に対して記録媒体の幅方向の手前側で、記録媒体の幅方向に同様の間隔を空けて並んでいる。
【００８１】
切換部材１６８は、傾斜ロール１６６を回転可能に支持する支持部１６８Ａと、支持部１６８Ａから下方に延びる円柱状のロッド１６８Ｂとを備えている。さらに、切換部材１６８は、ロッド１６８Ｂを軸として支持部１６８Ａを回転させる本体部１６８Ｃを備えている。
【００８２】
この構成において、制御部１７８（図２０参照）が切換部材１６８を制御することで、ロッド１６８Ｂを軸として支持部１６８Ａが回転するようになっている。そして、傾斜ロール１６６が、上方から見て、用紙搬送方向に対して一方向（図１８参照）と他方向（図１７参照）とに傾斜するようになっている。
【００８３】
（作用）
次に、規制装置１６０の作用について図１９に示すフロー図等を用いて説明する。
【００８４】
先ず、画像形成装置１０の非稼働状態では、制限ロール５２は、許容位置に配置され、傾斜ロール１６６は、図１７に示されるように、他方向に傾斜している。また、連続紙Ｐの一端面と、ガイド板８２との間には隙間が生じている。
【００８５】
この状態で、画像形成装置１０を稼動させると、図１９に示すステップＳ１１０で、連続紙Ｐの搬送が開始される。そして、他方向に傾斜している傾斜ロール１６６は、搬送される連続紙Ｐに従動して回転する。これにより、連続紙Ｐには、連続紙Ｐが記録媒体の搬送方向の内側に向かう力が付与される。
【００８６】
そして、連続紙Ｐが記録媒体の搬送方向の内側に移動し、連続紙Ｐの一端面がガイド板８２に接触する。連続紙Ｐの一端面がガイド板８２に接触することで、ガイド板８２は、連続紙Ｐの幅方向の位置を規制する。そして、全てのセンサ８４が、連続紙Ｐの一端面がガイド板８２に接触したことを検知すると、ステップＳ２１０に移行する。
【００８７】
ステップＳ２１０では、制御部１７８は、切換部材５４を制御し、許容位置に配置されている制限ロール５２を制限位置に移動させる。制限位置に移動した制限ロール５２は、挟持ロール１６２との間で連続紙Ｐを挟み込み、搬送される連続紙Ｐに従動して回転する。これにより、制限ロール５２は、連続紙Ｐの記録媒体の幅方向奥側の端部における記録媒体の幅方向の移動を制限する。制限ロール５２が制限位置に移動するとステップＳ３１０に移行する。
【００８８】
ステップＳ３１０では、制御部１７８は、切換部材１６８を制御し、図１８に示されるように、他方向に傾斜していた傾斜ロール１６６を一方向に傾斜させる。これにより、連続紙Ｐには、記録媒体の幅方向の張力が付与される。そして、各色の液滴吐出ヘッド２２は、夫々の色の液滴を順番に連続紙Ｐに吐出して画像を形成する。画像形成動作が終了すると、ステップＳ４１０に移行する。
【００８９】
ステップＳ４１０では、制御部１７８は、切換部材５４を制御し、制限位置に配置されている制限ロール５２を許容位置に移動させる。制限ロール５２が許容位置に移動すると、ステップＳ５１０に移行する。
【００９０】
ステップＳ５１０では、制御部１７８は、切換部材１６８を制御し、一方向に傾斜している傾斜ロール６２を他方向に傾斜させる。傾斜ロール６２が他方向に傾斜すると、連続紙Ｐの搬送が停止して、一連の工程が終了する。
【００９１】
なお、第３実施形態の他の作用については、第１実施形態と同様である。
【００９２】
＜第４実施形態＞
次に、第４実施形態に係る画像形成装置２００の一例を図２１〜図２３に従って説明する。なお、画像形成装置２００については、第３実施形態と異なる部分を主に説明する。
【００９３】
（構成）
画像形成装置２００は、各部を制御する制御部２２８（図２３参照）と、規制装置２１０とを備えている。規制装置２１０は、図２１、図２２に示されるように、制限機構５０と、挟持ロール１６２とを備えていない。規制装置２１０は、第二切換部材の一例としての吸引ポンプ２２４と、吸引ロール２１２とを備えている。
【００９４】
吸引ロール２１２は、記録媒体の幅方向に同様の間隔を空けて複数個並んでいる傾斜ロール１６６に対して、記録媒体の幅方向の奥側に配置されている。また、吸引ロール２１２は、ブラケット２１４に回転可能に支持されている。そして、吸引ロール２１２は、上方から見て回転方向（軸方向に対して直交する方向）が連続紙Ｐの搬送方向に沿うようになっている。
【００９５】
さらに、吸引ロール２１２は、内部が空洞とされ、吸引ロール２１２の外周面には、複数の吸引口２１６Ａを有する制限部材の一例としての吸着領域２１６が形成されている。
【００９６】
そして、吸引ポンプ２２４を稼動させると、吸引口２１６Ａから空気が吸い込まれ、連続紙Ｐの記録媒体の幅方向の奥側の部分が、吸着領域２１６に吸着されるようになっている。
【００９７】
この構成において、画像形成装置２００の制御部２２８は、吸引ポンプ２２４を稼動させて、連続紙Ｐの記録媒体の幅方向奥側の端部において記録媒体の幅方向の移動を制限するようになっている（制限状態）。また、制御部２２８は、吸引ポンプ２２４を非稼動させて連続紙Ｐの記録媒体の幅方向の移動を許可するようになっている（許容状態）。
【００９８】
なお、第４実施形態の作用については、吸着領域２１６で連続紙Ｐの移動を制限する以外は、第３実施形態と同様である。
【００９９】
＜第５実施形態＞
次に、第５実施形態に係る画像形成装置２５０の一例を図２４〜図２７に従って説明する。なお、画像形成装置２５０については、第１実施形態と異なる部分を主に説明する。
【０１００】
（構成）
画像形成装置２５０は、各部を制御する制御部２７８（図２７参照）と、規制装置２６０とを備えている。規制装置２６０は、図２４、図２５に示されるように、制限機構５０と、支持機構７０とは備えていない。規制装置２６０は、接触位置に配置されている傾斜ロール６２に対して連続紙Ｐの反対側に配置されている支持板２６４と、記録媒体の幅方向に並んでいる支持ロール２６６とを備えている。
【０１０１】
支持板２６４は、記録媒体の搬送方向に延び、連続紙Ｐの記録媒体の幅方向の手前側の部分を下側から支持している。
【０１０２】
支持ロール２６６は、複数設けられ、夫々の傾斜ロール６２に対して記録媒体の幅方向の奥側で、かつ、連続紙Ｐの非画像面側に配置され、記録媒体の幅方向に同様の間隔を空けて並んでいる。また、夫々の支持ロール２６６は、ブラケット２６８に回転可能に支持されている。そして、支持ロール２６６は、上方から見て、用紙搬送方向に対して他方向に傾斜している。
【０１０３】
（作用）
次に、規制装置２６０の作用について図２６に示すフロー図等を用いて説明する。
【０１０４】
先ず、画像形成装置２５０の非稼働状態では、傾斜ロール６２は、離間位置に配置され、一方向に傾斜している。
【０１０５】
この状態で、画像形成装置２５０を稼動させると、図２６に示すステップＳ１２０で、連続紙Ｐの搬送が開始される。また、他方向に傾斜している支持ロール２６６は、搬送される連続紙Ｐに従動して回転する。そして、連続紙Ｐには、連続紙Ｐが記録媒体の搬送方向の内側に向かう力が付与される。
【０１０６】
これにより、連続紙Ｐが記録媒体の搬送方向の内側に移動し、連続紙Ｐの一端面がガイド板８２に接触する。連続紙Ｐの一端面がガイド板８２に接触することで、ガイド板８２は、連続紙Ｐの幅方向の位置を規制する。そして、全てのセンサ８４が、連続紙Ｐの一端面がガイド板８２に接触したことを検知すると、ステップＳ２２０に移行する。
【０１０７】
ステップＳ２２０では、制御部２７８は、切換部材６４を制御し、離間位置に配置されている傾斜ロール６２を接触位置に移動させる。
【０１０８】
接触位置に移動した傾斜ロール６２は、支持板２６４との間で連続紙Ｐを挟み込み、搬送される連続紙Ｐに従動して回転する。そして、連続紙Ｐには、連続紙Ｐが記録媒体の搬送方向の外側に向かう力が付与される。これにより、連続紙Ｐには、記録媒体の幅方向の張力が付与される。
【０１０９】
さらに、各色の液滴吐出ヘッド２２は、夫々の色の液滴を順番に連続紙Ｐに吐出して画像を形成する。画像形成動作が終了すると、ステップＳ３２０に移行する。
【０１１０】
ステップＳ３２０では、制御部２７８は、切換部材６４を制御し、接触位置に配置されている傾斜ロール６２を離間位置に移動させる。傾斜ロール６２が離間位置に移動すると、連続紙Ｐの搬送が停止して、一連の工程が終了する。
【０１１１】
なお、第５実施形態の他の作用については、第１実施形態と同様である。
【０１１２】
＜第６実施形態＞
次に、第６実施形態に係る画像形成装置３００の一例を図２８、図２９に従って説明する。なお、画像形成装置３００については、第１実施形態と異なる部分を主に説明する。
【０１１３】
（構成）
画像形成装置３００に備えられた規制装置３１０は、図２８、図２９（Ａ）（Ｂ）に示されるように、付与機構６０と、ガイド機構８０とは備えていない。規制装置３１０は、非画像面側から連続紙Ｐを支持する複数の支持ロール３１２を備えている。
【０１１４】
支持ロール３１２は、回転部材の一例とされ、記録媒体の搬送方向に間隔を空けて複数配置されている。具体的には、支持ロール３１２は、連続紙Ｐを挟んで夫々の液滴吐出ヘッド２２の反対側と、連続紙Ｐを挟んで夫々の制限ロール５２の反対側とに一つずつ配置されている。
【０１１５】
この支持ロール３１２の記録媒体の幅方向の手前側の部分は、この支持ロール３１２の記録媒体の幅方向の奥側の部分と比して、大径とされ、支持ロール３１２は、所謂テーパーロールとされている。さらに、支持ロール３１２の軸方向は、用紙搬送方向から見て、記録媒体の幅方向に対して傾斜している（図２９（Ｂ）参照）。これにより、支持ロール３１２は、連続紙Ｐの紙面が上下方向を向くように、連続紙Ｐの記録媒体の幅方向の一端部から他端部までを支持している。
【０１１６】
（作用）
次に、規制装置３１０の作用について説明する。
【０１１７】
制限ロール５２は、制限位置に配置されており、支持ロール３１２との間で連続紙Ｐを挟み込んでいる。
【０１１８】
そして、制限ロール５２及び支持ロール３１２は、搬送される連続紙Ｐに従動して回転する。制限ロール５２と支持ロール３１２との間で連続紙Ｐが挟み込まれているため、連続紙Ｐの記録媒体の幅方向奥側の端部における記録媒体の幅方向の移動が制限されている。
【０１１９】
また、大径部の周速が小径部よりも速いため、その周速差により用紙が速度の速い大径部に引き寄せられることにより張力が付与される。
【０１２０】
なお、第６実施形態の他の作用については、第１実施形態と同様である。
【０１２１】
＜第７実施形態＞
次に、第７実施形態に係る画像形成装置３５０の一例を図３０、図３１に従って説明する。なお、画像形成装置３５０については、第６実施形態と異なる部分を主に説明する。
【０１２２】
（構成）
画像形成装置３５０に備えられた規制装置３６０は、制限機構５０を備えておらず、図３０、図３１に示されるように、第一切換部材の一例としての吸引ポンプ３６４と回転部材の一例とされる支持ロール３６２とを備えている。
【０１２３】
支持ロール３６２は、内部が空洞とされ、支持ロール３６２において記録媒体の幅方向の奥側の部分には、複数の吸引口３６６Ａを有する制限部材の一例としての吸着領域３６６が形成されている。そして、吸引ポンプ３６４を稼動させると、吸引口３６６Ａから空気が吸い込まれ、連続紙Ｐの記録媒体の幅方向の奥側の部分が、吸着領域３６６に吸着されるようになっている。
【０１２４】
なお、第７実施形態の作用については、吸着領域３６６で連続紙Ｐの移動を制限する以外は、第６実施形態と同様である。
【０１２５】
＜第８実施形態＞
次に、第８実施形態に係る画像形成装置４００の一例を図３２、図３３に従って説明する。なお、画像形成装置４００については、第６実施形態と異なる部分を主に説明する。
【０１２６】
（構成）
画像形成装置４００に備えられた規制装置４１０は、図３２、図３３に示されるように、テーパー状の支持ロール３１２は備えられていない。規制装置４１０は、連続紙Ｐの非画像面側から連続紙Ｐを支持する複数の支持ロール４１２を備えている。
【０１２７】
支持ロール４１２は、記録媒体の搬送方向に間隔を空けて複数配置されている。具体的には、支持ロール４１２は、連続紙Ｐを挟んで夫々の液滴吐出ヘッド２２の反対側と、連続紙Ｐを挟んで夫々の制限ロール５２の反対側に配置されている。また、この支持ロール４１２の外周面には、螺旋状の凸部４１４が形成されている。
【０１２８】
この構成において、支持ロール４１２は、搬送される連続紙Ｐに従動して回転するようになっている。そして、凸部４１４と連続紙Ｐとの間で生じる摩擦力により、連続紙Ｐには、記録媒体の幅方向の張力が付与されるようになっている。
【０１２９】
第８実施形態の他の作用については、第６実施形態と同様である。
【０１３０】
なお、本発明を特定の実施形態について詳細に説明したが、本発明は係る実施形態に限定されるものではなく、本発明の範囲内にて他の種々の実施形態をとることが可能であることは当業者にとって明らかである。上記構成では特に説明しなかったが、連続紙Ｐにおいて記録媒体の幅方向の手前側の部分の移動を規制し、連続紙Ｐにおいて記録媒体の幅方向の奥側の部分を外側に引っ張ってもよい。
【０１３１】
また、上記実施形態では、複数色の場合を例にとって説明したが、複数の液滴吐出ヘッドが同じ色を吐出構成であってもよい。
【符号の説明】
【０１３２】
１０        画像形成装置
２２        液滴吐出ヘッド（液滴吐出部材の一例）
２２Ｃ      液滴吐出ヘッド（液滴吐出部材の一例）
２２Ｋ      液滴吐出ヘッド（液滴吐出部材の一例）
２２Ｍ      液滴吐出ヘッド（液滴吐出部材の一例）
２２Ｙ      液滴吐出ヘッド（液滴吐出部材の一例）
３８        制御部
５２        制限ロール（制限部材の一例）
５４        切換部材（第一切換部材の一例）
６２        傾斜ロール（付与部材の一例）
６４        切換部材（第二切換部材の一例）
８２        ガイド板（規制部材の一例）
１００      画像形成装置
１２４      吸引ポンプ（第一切換部材の一例）
１２６      吸着領域（制限部材の一例）
１２８      制御部
１５０      画像形成装置
１６６      傾斜ロール（付与部材の一例）
１６８      切換部材（第二切換部材の一例）
１７８      制御部
２００      画像形成装置
２１６      吸着領域（制限部材の一例）
２２４      吸引ポンプ（第一切換部材の一例）
２２８      制御部
２５０      画像形成装置
２６６      支持ロール（制限部材の一例）
２７８      制御部
３００      画像形成装置
３１２      支持ロール（回転部材の一例）
３５０      画像形成装置
３６２      支持ロール（回転部材の一例）
３６４      吸引ポンプ（第一切換部材の一例）
３６６      吸着領域（制限部材の一例）
４００      画像形成装置
４１２      支持ロール（付与部材の一例）
【図１】
2018001565.tif 000003
【図２】
2018001565.tif 000004
【図３】
2018001565.tif 000005
【図４】
2018001565.tif 000006
【図５】
2018001565.tif 000007
【図６】
2018001565.tif 000008
【図７】
2018001565.tif 000009
【図８】
2018001565.tif 000010
【図９】
2018001565.tif 000011
【図１０】
2018001565.tif 000012
【図１１】
2018001565.tif 000013
【図１２】
2018001565.tif 000014
【図１３】
2018001565.tif 000015
【図１４】
2018001565.tif 000016
【図１５】
2018001565.tif 000017
【図１６】
2018001565.tif 000018
【図１７】
2018001565.tif 000019
【図１８】
2018001565.tif 000020
【図１９】
2018001565.tif 000021
【図２０】
2018001565.tif 000022
【図２１】
2018001565.tif 000023
【図２２】
2018001565.tif 000024
【図２３】
2018001565.tif 000025
【図２４】
2018001565.tif 000026
【図２５】
2018001565.tif 000027
【図２６】
2018001565.tif 000028
【図２７】
2018001565.tif 000029
【図２８】
2018001565.tif 000030
【図２９】
2018001565.tif 000031
【図３０】
2018001565.tif 000032
【図３１】
2018001565.tif 000033
【図３２】
2018001565.tif 000034
【図３３】
2018001565.tif 000035